(57)【要約】      （修正有）【課題】内部にセパレータを備えたタイプの竪型粉砕機により原料を微粉砕しようとすれば粉砕機内部に留まる粒径の小さな循環原料の割合が高くなる。そのような場合に、粉砕機内の原料が嵩高く滑りやすい状態になり、粉砕ローラの回転が不規則になって、異常振動が発生するという問題を解決する。【解決手段】回転テーブル２と分級機構１４との間に内部コーン３０を配して、該内部コーン３０の下端にスクリュコンベヤ部を設けることにより、内部コーン３０で捕集した粗粉をスクリュ羽根３１で圧密してから回転テーブル２上に供給する。内部コーン３０で捕集した粗粉を、スクリュ羽根３１で一旦、圧密することにより、脱気して嵩を低くしてから、回転テーブル２上に供給することができる。その結果、回転テーブル２上の原料層は、粉砕ローラで粉砕される際においても、従来技術のような急激な容積変化は起こさないので、異常振動を抑制できる。【選択図】図１
2010158637.tif 000002
【特許請求の範囲】
【請求項１】
回転テーブル上に回転自在な粉砕ローラを配するとともに、回転テーブル上方に分級機構を配して、
該回転テーブルと該粉砕ローラとの間で粉砕した原料を、回転テーブルの下方から導入したガスによって吹き上げて該分級機構により粗粉と細粉と分離し、細粉を製品として取り出す竪型粉砕機において、
回転テーブルと分級機構との間に内部コーンを配して、該内部コーンの下端にスクリュコンベヤを設けることにより、該内部コーンで捕集した粗粉をスクリュコンベヤで圧密してから回転テーブル上に供給することを特徴とした竪型粉砕機。
【請求項２】
前記内部コーンの側面に原料供給管の排出口を配して、新たに機内に投入される原料と前記粗粉とを、スクリュコンベヤで圧密する請求項１に記載の竪型粉砕機。
【請求項３】
前記スクリュコンベヤが、内部コーンの下端に配したフィード管に圧密機能を有するスクリュ羽根を挿入した構造である請求項１又は請求項２記載の竪型粉砕機。
【請求項４】
前記スクリュ羽根のリードのピッチが、上方から下方に向かって小さくなる請求項１から請求項３までいずれか１項に記載の竪型粉砕機。
【請求項５】
前記スクリュ羽根の軸径が、上方から下方に向かって大きくなる請求項１から請求項４までいずれか１項に記載の竪型粉砕機。
【発明の詳細な説明】
【技術分野】
【０００１】
本発明は、主に石炭、オイルコークス、スラグ、クリンカー、石灰石、その他の無機原料、又バイオマス等の有機原料を粉砕するに好適な竪型粉砕機に係わり、特に、原料を微粉砕する際に好適な竪型粉砕機に関する。
【背景技術】
【０００２】
従来から、石炭等を粉砕する粉砕機として竪型粉砕機（竪型ミル、或いは竪型ローラミルと称されることもある）と呼ばれる粉砕機が広く用いられている。
ここで、竪型粉砕機は、原料を効率的に微粉砕することができるという優れた特性を有している反面、原料の種類や粉砕条件によっては、粉砕の際に、異常振動が発生するという問題点を有していた。竪型粉砕機に発生する異常振動は、様々な原因によって誘発されるため、その振動原因に応じた様々な対策を講じる必要があり、従来から数多くの異常振動防止対策が提案されている。
【０００３】
ここで、異常振動を防止する最も一般的な方法として、回転テーブル上に設置しているダムリングの高さを調整する方法が周知である。
しかし、ダムリングの高さを調整するためには、通常、粉砕機の運転を停止する必要がある。そのため、刻々と変化する原料性状変化に合わせて細かく対応するということが難しく、ある程度まで振動を許容して生産を続けるというのが実情であった。
【０００４】
また、その他の先行技術として、特許文献１に開示される従来技術が公知である。
【０００５】
特許文献１に示される竪型粉砕機は、補助ローラを用いて回転テーブル上の原料層を、一旦、圧密化することにより、粉砕ローラに原料を効率よく噛み込ませるという技術が開示されている。
【先行技術文献】
【特許文献】
【０００６】
【特許文献１】特開平２−１７４９４６号公報
【発明の概要】
【発明が解決しようとする課題】
【０００７】
ここで、原料を微粉砕しようとすれば、竪型粉砕機内で繰り返し粉砕する必要があるが、その場合には、竪型粉砕機内に留まって再度粉砕される、所謂、循環原料の割合が高くなる。
前述した循環原料は、粒径の小さな原料の割合が当然に高い。特に、粉砕機の内部にセパレータ等の分級機構を備えるタイプの竪型粉砕機において、原料を微粉砕しようとすれば、循環原料の中に含まれる粒径の小さな原料の割合が増加する。
【０００８】
竪型粉砕機内で粒径の小さな原料の割合が高くなると、回転テーブル上の原料層は、空隙率の高い、所謂、嵩高い状態になる。
この嵩高い原料層は、通常、紛体として流動性の高い状態にあり、また、粉砕ローラで粉砕する場合に急激に容積変化が起こる等する。
そのため、この嵩高い原料層を、粉砕ローラにより一挙に粉砕しようとした場合に、回転テーブルに従動して回転している粉砕ローラは、運転中に原料層上で滑ってスリップし、その結果、粉砕ローラの回転が不規則になって、異常振動が発生するという問題が生じた。
【０００９】
原料層に含まれた空気を脱気する技術としては、前述した特許文献１に開示された技術が公知であり、補助ローラで圧密した原料層を粉砕ローラに噛み込ませることについて、粉砕効率の向上という、一定の効果は期待できる。
【００１０】
しかしながら、前述の従来方法によれば、補助ローラによって噛み込まれた原料が脱気されて圧密されるのであって、補助ローラに噛み込まれないままに粉砕ローラで粉砕される原料も、回転テーブル上には存在するから、これが、竪型粉砕機の粉砕効率を向上させる上での障害となっていた。
【００１１】
本発明は、以上、説明したような問題点に鑑みてなされたものであり、前述した石炭類等を効率よく微粉砕するに好適な竪型粉砕機に関する。
【課題を解決するための手段】
【００１２】
上記の目的を達成するため、本発明による竪型粉砕機は、
（１）  回転テーブル上に回転自在な粉砕ローラを配するとともに、回転テーブル上方に分級機構を配して、該回転テーブルと該粉砕ローラとの間で粉砕した原料を、回転テーブルの下方から導入したガスによって吹き上げて該分級機構により粗粉と細粉と分離し、細粉を製品として取り出す竪型粉砕機において、回転テーブルと分級機構との間に内部コーンを配して、該内部コーンの下端にスクリュコンベヤを設けることにより、該内部コーンで捕集した粗粉をスクリュコンベヤで圧密してから回転テーブル上に供給する。
【００１３】
（２）  （１）に記載の竪型粉砕機において、前記内部コーンの側面に原料供給管の排出口を配して、新たに機内に投入される原料と前記粗粉とを、スクリュコンベヤで圧密する。
【００１４】
（３）  （１）又は（２）に記載の竪型粉砕機において、前記スクリュコンベヤが、内部コーンの下端に配したフィード管に圧密機能を有するスクリュ羽根を挿入した構造とした。
【００１５】
（４）  （１）から（３）までいずれか１項に記載の竪型粉砕機において、前記スクリュ羽根のリードのピッチが、上方から下方に向かって小さくなる構成とした。
【００１６】
（５）  （１）から（４）までいずれか１項に記載の竪型粉砕機において、前記スクリュ羽根の軸径が、上方から下方に向かって大きくなる構成とした。
【発明の効果】
【００１７】
本発明による竪型粉砕機によれば、回転テーブルと分級機との間に内部コーンを配して粗粉を捕集するとともに、該内部コーンの下端に捕集したスクリュコンベヤにより、原料を圧密して回転テーブルに供給する。
本発明は前述の構成によって、内部コーンで捕集した粗粉を、スクリュコンベヤで一旦、圧密することにより、脱気して、空隙率を減少させてから、回転テーブル上に供給する。その結果、回転テーブル上の原料層は、粉砕ローラで粉砕される際においても、従来技術のような急激な容積変化は起こさないので、異常振動を抑制できる。
【００１８】
また、内部コーンの側面に原料供給管の吐出口を配することにより、内部コーンで捕集した前述の粗粉だけではなく、新規に竪型粉砕機に投入する原料まで、スクリュコンベヤで、一旦、圧密してから、回転テーブル上に供給することができるので、さらに、効果的な脱気が可能となり、異常振動の防止効果がさらに向上する。
【００１９】
なお、前記スクリュコンベヤについて、内部コーンの下端にフィード管を配して、該フィード管にスクリュ羽根を挿入した構造とすることは、構造が簡単で、清掃等のメンテナンスが容易であるという優れた利点を有する
【００２０】
また、スクリュコンベヤに使用するスクリュ羽根の構造について、前記スクリュ羽根のリードのピッチが、上方から下方に向かって小さくなる構成、或いは、前記スクリュ羽根の軸径が、上方から下方に向かって大きくなる構成、とすれば、効果的な圧密が簡易な装置により可能であるという優れた利点を有する。
【図面の簡単な説明】
【００２１】
【図１】本実施形態に係わる竪型粉砕機の全体構成を説明する概念図である。
【図２】本実施形態に係わるスクリュコンベヤの拡大図である。
【図３】本実施形態に係わるスクリュコンベヤに用いたスクリュ羽根の説明図である。
【図４】本実施形態に係わるスクリュコンベヤによる圧密原理を説明する概念図である。
【図５】従来技術による竪型粉砕機の構造を説明する図である。
【図６】原料層、回転テーブル、並びに粉砕ローラの関係を説明する図である。
【発明を実施するための形態】
【００２２】
以下、図面等に基づき本発明の好ましい実施形態の１例について詳細に説明する。
図１〜図４は本実施形態に係わり、図１は竪型粉砕機の全体構成を説明する概念図であり図２は、スクリュコンベヤの拡大図である。図３はスクリュコンベヤに用いたスクリュ羽根の形状を説明する図であり、図４はスクリュコンベヤによる圧密原理を説明する図である。図５は従来技術による竪型粉砕機の構造を説明する図であり、図６は原料層、回転テーブル、並びに粉砕ローラの関係を説明する図である。
【００２３】
以下、本発明による竪型粉砕機１の好ましい構成について説明する。
本実施形態に用いた竪型粉砕機１は、図１に示すように竪型粉砕機１の外郭を形成するケーシング２２、竪型粉砕機１の下部に設置された駆動機２Ｍにより駆動される回転テーブル２と、コニカル型の粉砕ローラ３とを備えている。
なお、本実施形態に用いた竪型粉砕機１は、駆動機２Ｍの駆動用電源としてインバータ電源を備えて、運転中、回転テーブルの回転速度が任意の変更可能な可変速式の竪型粉砕機１である。
【００２４】
粉砕ローラ３は、回転テーブル２の上面（回転テーブル上面２Ａと称することもある）に複数個（本実施形態においては２個）が配されて、回転テーブル２の方向に押圧されるよう構成されている。なお、粉砕ローラ３は、回転テーブル２が回転することにより、回転テーブル２に対して、原料を介して従動して回転する。
【００２５】
以下、本実施形態における分級機構の構成について説明する
図１に示す実施形態の竪型粉砕機１は、一般的に２段分級型と呼ばれるタイプの分級機構を備えた粉砕機であって、回転テーブル２の上方に、回転式と固定式の分級機構を有する分級機１４を備えている。
【００２６】
図１に示される回転式の分級機構として、回転テーブル２の上方に配された回転分級羽根１４Ａが、竪型粉砕機１の上部に設置された駆動モータ１４Ｃにより回転軸１４Ｂを介して駆動され、自在に回転する構成となっている。
また、回転分級羽根１４Ａは、回転軸１４Ｂを中心として、円を描くように並配されており、さらにその外周側に、固定分級羽根１４Ｄが円を描くようにして並んで配されている。詳細は後述するが、ガスにより吹き上げられた原料の中で、固定分級羽根１４Ｄを通過し、さらに回転分級羽根１４Ａを通過した原料のみが細粉として製品取出口２８より取り出される。
【００２７】
また、図１に示す実施形態においては、固定分級羽根１４Ｄの下端部から、下方に向かって延びる内部コーン３０が配されている。
内部コーン３０の形状は、図１に示すように、上方から下方に向かって径が小さくなる円筒であり、所謂、漏斗状と呼ばれる形状である。
図１に示す実施形態においては、内部コーン３０が、回転テーブル２と分級機１４の間に配されており、固定式分級羽根１４Ｄを通過して、回転分級羽根１４Ａを通過できなかった原料が、運転中に落下して、捕集される構造となっている。
【００２８】
また、図１に示す実施形態において、内部コーン３０の下端には、円筒状のフィード管３７が配されており、その中には、スクリュ羽根３１が挿入されて、スクリュコンベヤを形成している。
スクリュ羽根３１の回転軸の上端は、ギヤケース３３内に挿入されて、連結軸３５を介して駆動機３２により自在に回転させられる構造となっている。
ここで、スクリュ羽根３１は、図３（１）に示すような下方に向かって徐々にリードのピッチが小さくなるタイプである。
【００２９】
なお、図１に示す実施形態においては、図３（１）に示すような下方に向かって徐々にリードのピッチが小さくなるタイプのスクリュ羽根３１により原料を圧密して脱気する構成とした。図３（１）に示した構成のスクリュ羽根３１を使用するのは、構成が簡単でメンテナンスがしやすいとい利点を有した好ましい形態である。
また、図３（２）に示すように、スクリュ軸が下方に向かって大きくなっていくタイプのスクリュ羽根について、前述した図３（１）と同様な理由から本発明に使用するに好ましい構成である。
なお、本発明において使用できるスクリュ羽根３１の構成が、前述した図３（１）及び（２）に示す構成に限らないことは勿論であり、本発明の技術思想の範囲を逸脱しない範囲で、圧密が可能な公知のスクリュ羽根等を使用しても良く、例えば、２条タイプや３条タイプの公知のスクリュ羽根等を利用して、原料を圧密して脱気する構成としても良い。
【００３０】
また、図１に示した竪型粉砕機１は、所謂、サイドシュート方式と呼ばれる原料投入方式の竪型粉砕機１であって、原料供給管である原料投入シュート２０Ａの吐出口を内部コーン３０の内側まで延ばして設けることによって、原料投入口２０から内部コーン３０の内側に原料を供給することができるよう構成されている。
【００３１】
図１に示す竪型粉砕機１においては、回転テーブル２の下方にガスを導入するためのガス供給口７０を設けており、さらに回転テーブル上方に該ガスと共に製品を取り出すための製品取出口２８を設けている。
竪型粉砕機１は、運転中に、ガス供給口７０よりガス（本実施形態においては空気）を導入することによって、回転テーブル２下方から分級機１４を通過して製品取出口２８へと流れるガスの気流が生じる構成となっている。
そして、径の小さな原料は、前記ガスに吹き上げられて、固定分級羽根１４Ｄと回転分級羽根１４Ａを通過して製品取出口２８より取り出される。
【００３２】
なお、本実施形態に用いることのできる竪型粉砕機１の型式は、前述したものに限らないことは勿論であり、本発明の技術思想を逸脱しないで変更が可能である。
【００３３】
以下、本実施形態による竪型粉砕機１の運転方法について、その好ましい１例を説明する。竪型粉砕機１の原料投入口２０に投入された原料（本実施形態においては石炭）は、原料投入シュート２０Ａを介して内部コーン３０の内側に投入され、後述する内部コーン３０で捕集された粗粉と一緒に、スクリュコンベヤに落下する。
スクリュコンベヤを形成するフィード管３７の中に入った原料は、スクリュ羽根３１が回転するにつれて、下方側に移動していく。
本実施形態に用いたスクリュ羽根３１は、下方に向かうにつれて、リードのピッチが短くなっており、図３（１）に示すようにＰ１＞Ｐ２＞Ｐ３＞Ｐ４となっているため、下方に向かった原料は徐々に圧縮を受けて圧密される。
そのため、スクリュコンベヤを通過する原料は、圧密されて、脱気されてから、回転テーブル２の中心付近に供給される。
【００３４】
回転テーブル２に供給された原料は、渦巻き状の軌跡を描きながら、回転テーブル２の外周側に移動する。
回転テーブル２の外周側に移動して回転テーブル２と粉砕ローラ３に噛み込まれて粉砕された被粉砕物は、回転テーブル２の外縁部に周設されたダムリングを乗り越えて、回転テーブル上面２の外周部とケーシングとの隙間である環状通路５０（環状空間部５０と称することもある）へと向かう。
【００３５】
なお、環状通路５０に達した被粉砕物は、前記ガスにより吹き上げられてケーシング２２内を上昇し、固定分級羽根１４Ｄに流れようとするが、径が大きく重量の大きな原料は固定分級羽根１４Ｄまで到達することができず、或いは、通過することができず、落下して、粉砕ローラ３に再度粉砕される。
一方、固定分級羽根１４Ｄに到達して通過した原料は、回転分級羽根１４Ａと向かうが、径が大きく重量の大きな原料は回転分級羽根１４Ａまで到達することができず、或いは、通過することができず、内部コーン３０内に落下する。なお、これが、前述した内部コーン３０で捕集される粗粉である。
さらに、図１に示した竪型粉砕機１は、内部コーン３０の側面内側まで原料供給管の排出口延ばして配しているので、新たに機内に投入される原料と前記粗粉とを、スクリュコンベヤで圧密することができるといった点で特に好ましい。
【００３６】
スクリュコンベヤに入った粗粉は、新規原料とあわされて、前述の工程を繰り返し、所望の粒度まで細粉となってから、回転分級羽根１４Ａを通過して、製品取出口２８より製品として取り出される。
【００３７】
ここで、従来技術のように内部コーン３０の下端に原料を圧密できるスクリュコンベヤを設けない場合は、前述したように、原料層の中の空隙率が高くなり、回転テーブルと粉砕ローラとの間に大きな滑りが生じ、粉砕ローラ３の回転が不安定になるので、異常振動を生じる。
本実施形態であれば、回転テーブル２上の供給する原料を効果的に脱気して圧密化でき、その結果、粉砕ローラ３と原料層とのスリップに起因する異常振動を効果的に抑制できる。
【産業上の利用可能性】
【００３８】
以上のように本願発明に係わる竪型粉砕機は、従来に比較して、微粉砕時に振動が発生しにくいという特徴を有するので、原料を微細化する粉砕等に、特に適した粉砕装置として使用できる。
【符号の説明】
【００３９】
１      竪型粉砕機
２      回転テーブル
３      粉砕ローラ
１４    分級機
２０    原料投入口
２０Ａ  原料投入シュート
２２    ケーシング
２８    製品取出口
２Ｍ    駆動機
３０    内部コーン
３１    スクリュ羽根
３７    フィード管
５０    環状通路
７０    ガス供給口
１４Ａ    回転分級羽根
１４Ｂ    回転軸
１４Ｃ    駆動モータ
１４Ｄ    固定分級羽根
【図１】
2010158637.tif 000003
【図２】
2010158637.tif 000004
【図３】
2010158637.tif 000005
【図４】
2010158637.tif 000006
【図５】
2010158637.tif 000007
【図６】
2010158637.tif 000008